(57)【特許請求の範囲】
【請求項１】
パチンコ遊技機の裏面側上部に配設された賞球タンクと、当該賞球タンクに貯留されている遊技球を下方に誘導するための誘導レールと、当該誘導レールを経て落下する遊技球の急激な落下を防止するべく屈曲した誘導樋を有する誘導樋ユニットと、当該誘導樋ユニットにより誘導された遊技球を受け入れ所定の検出信号に応じて所定数の遊技球を払い出す賞球払出装置とを備えたパチンコ遊技機であって、
前記誘導樋ユニットは、
前記誘導レールから当該ユニット内に誘導された遊技球を前記賞球払出装置に誘導する第１分岐誘導樋と、
遊技球を遊技機外へ誘導する第２分岐誘導樋と、
遊技球を第１分岐誘導樋と第２分岐誘導樋とに排他的に分流するべく、それ自体の回動位置が切り替えられることによって遊技球が誘導される分岐誘導樋の切り替えがなされるように両分岐誘導樋の分岐部に回動可能に設けられた手動回動式の球抜き切替弁と、を備え、
前記球抜き切替弁は、前記誘導樋ユニット内に重力方向に回動可能に軸支されるとともに、その回動方向に沿って延びる円弧形状の重鎮球収容部と、当該重鎮球収容部内に自重によって移動可能に設けられた重鎮球とを備え、
当該重鎮球が当該重鎮球収容部の一方の端部に移動したときには、遊技球を前記第１分岐誘導樋に分流する第１回動位置に保持され、当該重鎮球が当該重鎮球収容部の他方の端部に移動したときには、遊技球を前記第２分岐誘導樋に分流する第２回動位置に保持されることを特徴とするパチンコ遊技機。
【請求項２】
前記球抜き切替弁は、前記第１回動位置と前記第２回動位置との間の回動角度が略９０°になるように回動可能に軸支されていることを特徴とする請求項１記載のパチンコ遊技機。
【請求項３】
前記球抜き切替弁を略扇型に形成するとともにその外周部が円弧状の軌道を描くように回動可能に軸支し、
前記誘導樋の途中に円弧状の湾曲部位を形成するとともに当該湾曲部位の内周側樋壁の一部を前記球抜き切替弁の外周部で構成したことを特徴とする請求項１又は２に記載のパチンコ遊技機。
【請求項４】
前記第１分岐誘導樋への導入口が前記第２分岐誘導樋への導入口よりも下流側に設けられており、
前記球抜き切替弁が前記第１回動位置にあるときには前記第２分岐誘導樋への導入口が閉塞状態になり、前記第２回動位置にあるときには前記第２分岐誘導樋への導入口が開放状態になるように構成されていることを特徴とする請求項１、２又は３のいずれか一項に記載のパチンコ遊技機。
【請求項５】
前記重鎮球として遊技球を用いたことを特徴とする請求項１、２、３又は４のいずれか一項に記載のパチンコ遊技機。
【請求項６】
前記誘導樋ユニットの機能を前記賞球払出装置に持たせるとともに、
前記第１分岐誘導樋の出口を前記賞球払出装置のスプロケットに臨ませて配置し、前記球抜き切替弁を当該スプロケットより上方の部位に配置し、前記前記第２分岐誘導樋を前記賞球払出装置外に延出したことを特徴とする請求項１、２、３、４、又は５のいずれか一項に記載のパチンコ遊技機。
【請求項７】
遊技球の急激な落下を防止するべく屈曲した誘導樋を有する球抜装置であって、
当該装置内に誘導された遊技球を球払出通路に誘導する第１分岐誘導樋と、
遊技球を遊技機外へ誘導する第２分岐誘導樋と、
遊技球を第１分岐誘導樋と第２分岐誘導樋とに排他的に分流するべく、それ自体の回動位置が切り替えられることによって遊技球が誘導される分岐誘導樋の切り替えがなされるように両分岐誘導樋の分岐部に回動可能に設けられた手動回動式の球抜き切替弁とを備え、
当該球抜き切替弁は、
当該装置内に重力方向に回動可能に軸支されるとともに、
その回動方向に沿って延びる円弧形状の重鎮球収容部と、
当該重鎮球収容部内に自重によって移動可能に設けられた重鎮球とを備え、
当該重鎮球が当該重鎮球収容部の一方の端部に移動したときには、遊技球を前記第１分岐誘導樋に分流する第１回動位置に保持され、
当該重鎮球が当該重鎮球収容部の他方の端部に移動したときには、遊技球を前記第２分岐誘導樋に分流する第２回動位置に保持されることを特徴とするパチンコ遊技機の球抜装置。
【請求項８】
前記球抜き切替弁は、前記第１回動位置と前記第２回動位置との間の回動角度が略９０°になるように回動可能に軸支されていることを特徴とする請求項７記載のパチンコ遊技機の球抜装置。
【請求項９】
前記球抜き切替弁を略扇型に形成するとともにその外周部が円弧状の軌道を描くように回動可能に軸支し、
前記誘導樋の途中に円弧状の湾曲部位を形成するとともに当該湾曲部位の内周側樋壁の一部を前記球抜き切替弁の外周部で構成したことを特徴とする請求項７又は８記載のパチンコ遊技機の球抜装置。
【請求項１０】
前記第１分岐誘導樋への導入口が前記第２分岐誘導樋への導入口よりも下流側に設けられており、
前記球抜き切替弁が前記第１回動位置にあるときには前記第２分岐誘導樋の入口が閉塞状態になり、前記第２回動位置にあるときには前記第２分岐誘導樋の入口が開放状態になるように構成されていることを特徴とする請求項７、８又は９のいずれか一項に記載のパチンコ遊技機の球抜装置。
【請求項１１】
前記重鎮球として遊技球を用いたことを特徴とする請求項７、８、９又は１０のいずれか一項に記載のパチンコ遊技機の球抜装置。
【発明の詳細な説明】
【０００１】
【発明の属する技術分野】
本発明はパチンコ遊技機に関し、とくに遊技機内に存在している遊技球を排出するための球抜装置を改良したパチンコ遊技機とその球抜装置に関する。
【０００２】
【従来の技術】
パチンコホールでは閉店時間にパチンコ遊技機の点検や調整、修理等が行なわれる。こうした点検、調整、修理等を行うにあたっては、パチンコ遊技機の球賞球タンク内に存在している遊技球を排出する必要があるため、パチンコ遊技機には球抜装置が設けられている。
従来のパチンコ遊技機の球抜装置は、賞球タンクからの賞球の払い出しを制御する賞球払出装置の下流側に分岐して形成された球払出通路と球抜通路の分岐位置に設けられた球抜き切替弁を球抜き側に切り替えることにより、賞球払出装置を経て流下する遊技球の通路を球払出通路から球抜通路に切り替えて遊技球を排出する仕組みになっている。
【０００３】
【発明が解決しようとする課題】
しかし従来のパチンコ遊技機は、球抜装置が賞球払出装置の下流側に設けられており、賞球払出装置を経て流下する遊技球の通路を球払出通路から球抜通路に切り替えて球抜きを行うため、電源をオンにした状態でなければ球抜きを行うことができない。つまり電源をオフにした状態では、電気的に駆動される賞球払出装置が作動しないため、球抜装置の球抜き切替弁を球抜き側に切り替えても球抜きを行うことができない。
また従来の球抜装置には電気式のものと手動式のものとがあるが、電気式のものはソレノイドなどの電磁駆動機構やその駆動回路、切り替えスイッチ等が必要であるため、構造が複雑でありコストが高いという問題があった。また手動式のものにおいても、球抜き切替弁を球払い出し側と球抜き側のそれぞれの切り替え位置に保持できるようにするために、従来はスプリングなどの付勢手段を使用していたため、構造が複雑であるという問題があった。
本発明は、このような事情の下に創案されたものであり、その第１の目的は、遊技機の電源をオフにした状態でも球抜きを行うことができる球抜き機構を備えたパチンコ遊技機を提供することにある。また第２の目的は、スプリングなどの付勢手段を使用しない簡単な構造の手動式の球抜装置を提供することにある。
【０００４】
【課題を解決するための手段】
第１の目的を達成するために本発明のパチンコ遊技機は、遊技機の裏面側上部に配設された賞球タンクと、当該賞球タンクに貯留されている遊技球を下方に誘導するための誘導レールと、当該誘導レールを経て落下する遊技球の急激な落下を防止するべく屈曲した誘導樋を有する誘導樋ユニットと、当該誘導樋ユニットにより誘導された遊技球を受け入れ所定の検出信号に応じて所定数の遊技球を払い出す賞球払出装置とを備えたパチンコ遊技機であって、前記誘導樋ユニットは、前記誘導レールから当該ユニット内に誘導された遊技球を前記球払出装置に誘導する第１分岐誘導樋と、遊技球を遊技機外へ誘導する第２分岐誘導樋と、遊技球を第１分岐誘導樋と第２分岐誘導樋とに排他的に分流するべく、それ自体の回動位置が切り替えられることによって遊技球が誘導される分岐誘導樋の切り替えがなされるように両分岐誘導樋の分岐部に回動可能に設けられた手動回動式の球抜き切替弁とを備えたことを特徴とする。
本発明のパチンコ遊技機において、前記球抜き切替弁は、重力方向に回動可能に軸支されるとともに、その回動方向に沿って延びる円弧形状の重鎮球収容部と、当該重鎮球収容部内に自重によって移動可能に設けられた重鎮球とを備え、当該重鎮球が当該重鎮球収容部の一方の端部に移動したときには、遊技球を前記第１分岐誘導樋に分流する第１回動位置に保持され、当該重鎮球が当該重鎮球収容部の他方の端部に移動したときには、遊技球を前記第２分岐誘導樋に分流する第２回動位置に保持されることが望ましい。
前記誘導樋ユニットの機能を前記賞球払出装置に持たせるとともに、前記第１分岐誘導樋の出口を前記賞球払出装置のスプロケットに臨ませて配置し、前記球抜き切替弁を当該スプロケットより上方の部位に配置し、前記第２分岐誘導樋を前記賞球払出装置外に延出してもよい。
【０００５】
第２の目的を達成するために本発明の球抜装置は、遊技球の急激な落下を防止するべく屈曲した誘導樋を有する球抜装置であって、当該装置内に誘導された遊技球を球払出通路に誘導する第１分岐誘導樋と、遊技球を遊技機外へ誘導する第２分岐誘導樋と、遊技球を第１分岐誘導樋と第２分岐誘導樋とに排他的に分流するべく、それ自体の回動位置が切り替えられることによって遊技球が誘導される分岐誘導樋の切り替えがなされるように両分岐誘導樋の分岐部に回動可能に設けられた手動回動式の球抜き切替弁とを備え、当該球抜き切替弁は、当該装置内に重力方向に回動可能に軸支されるとともに、その回動方向に沿って延びる円弧形状の重鎮球収容部と、当該重鎮球収容部内に自重によって移動可能に設けられた重鎮球とを備え、当該重鎮球が当該重鎮球収容部の一方の端部に移動したときには、遊技球を前記第１分岐誘導樋に分流する第１回動位置に保持され、当該重鎮球が当該重鎮球収容部の他方の端部に移動したときには、遊技球を前記第２分岐誘導樋に分流する第２回動位置に保持されるようにしたことを特徴とする。
【０００６】
また本発明のパチンコ遊技機および球抜装置において、前記球抜き切替弁は、前記第１回動位置と前記第２回動位置との間の回動角度が略９０°になるように回動可能に軸支されていることが望ましい。
また、前記球抜き切替弁を略扇型に形成するとともにその外周部が円弧状の軌道を描くように前記誘導樋ユニット内に回動可能に軸支し、前記誘導樋の途中に円弧状の湾曲部位を形成するとともに当該湾曲部位の内周側樋壁の一部を前記球抜き切替弁の外周部で構成することが望ましい。
また前記第１分岐誘導樋の入口が前記第２分岐誘導樋の入口よりも下流側に設けられており、前記球抜き切替弁が前記第１回動位置にあるときには前記第２分岐誘導樋への導入口が閉塞状態になり、前記第２回動位置にあるときには前記第２分岐誘導樋への導入口が開放状態になるように構成されていることが望ましい。
また前記第１分岐誘導樋への導入口よりも前記第２分岐誘導樋への導入口の方が大きくなっていることが望ましい。
また前記重鎮球として遊技球を用いることが望ましい。
【０００７】
【発明の実施の形態】
以下、本発明の実施の形態について説明する。
図１は本発明に係るパチンコ遊技機の構造を例示する背面図である。図中、１はパチンコ遊技機、２はパチンコ遊技機１の外枠、３は遊技板である。
遊技板３は、外枠２の前面側に蝶番を介して水平方向に回動可能に取り付けられた前面枠の裏面に固定された略コ字形の遊技盤保持枠４に嵌め付けられ、遊技盤保持枠４の４箇所に設けられた押圧係止装置５により係止されて着脱可能に保持されている。
遊技盤３は、前面部に、打球装置６から発射された遊技球３０を遊技領域の上部に案内したり、アウト球回収口に案内したりする外レールおよび内レール、多数の障害釘、各種入賞装置（大入賞口、一般入賞口）、遊技状態に応じて点滅動作する各種電飾装置（サイドランプ、ランプ風車、ストップランプ、賞球ランプ）、ＬＣＤを用いた図柄変動表示装置（センター役物）などの各種遊技部品を取り付けるとともに、裏面部に、ＬＣＤ基板保護カバーや主基板などの各種部品を取り付けて構成される。
遊技盤３の背面側には機構板７が装着されている。機構板７の最上部には賞球タンク８が設けられ、賞球タンク８の下に誘導レール９が設けられている。誘導レール９の上流側端部（図示左端部）は賞球タンク８の底部に連結されている。誘導レール９は上流側端部から若干下方に傾斜しており、賞球タンク８の底から流下した遊技球３０を下方に誘導する。誘導レール９の下流側端部（図示右端部）は、誘導レール９を経て落下する遊技球３０の急激な落下を防止するべく屈曲した誘導樋１０を有する誘導樋ユニット（本発明に係る球抜装置）１１に接続されている。誘導樋ユニット１１の下方には、誘導樋ユニット１１により誘導された遊技球３０を受け入れ所定の検出信号に応じて所定数の遊技球３０を払い出す賞球払出装置１２が設けられている。賞球払出装置１２の球出口の下方には、遊技球３０が当ることにより音を発するベル１３が設けられている。賞球払出装置１２から払い出された遊技球３０はベル１３に当たった後、払出通路１４を通って遊技機１の前面下部に設けられた打球供給皿に払い出される。
【０００８】
誘導樋ユニット１１は、誘導レール９からユニット内に誘導された遊技球３０を賞球払出装置１２に誘導する第１分岐誘導樋１５と、遊技球３０を遊技機１の球抜通路１６に誘導する第２分岐誘導樋１７と、遊技球３０を第１分岐誘導樋１５と第２分岐誘導樋１７とに排他的に分流するべく、それ自体の回動位置が切り替えられることによって遊技球３０が誘導される分岐誘導樋の切り替えがなされるように両分岐誘導樋１５、１７の分岐部に回動可能に設けられた手動回動式の球抜き切替弁１８とを備えている。
球抜き切替弁１８は誘導樋ユニット１１内に重力方向に回動可能に軸支されるとともに、その回動方向に沿って延びる円弧形状の重鎮球収容部１９と、重鎮球収容部１９内に自重によって移動可能に設けられた重鎮球２０とを備えている。球抜き切替弁１８は、第１回動位置と第２回動位置との間の回動角度が略９０°になるようにユニット１１内に回動可能に軸支されている。重鎮球２０には遊技球３０を利用している。  そして球抜き切替弁１８は、図１および図２（ａ）に示すように、重鎮球２０が重鎮球収容部１９の一方の端部（図示左側端部）に移動したときには、遊技球３０を第１分岐誘導樋１５に分流する第１回動位置に保持され、図２（ｂ）に示すように、重鎮球２０が重鎮球収容部１９の他方の端部（図示右側端部）に移動したときには、遊技球３０を第２分岐誘導樋１７に分流する第２回動位置に保持されるようになっている。
【０００９】
また球抜き切替弁１８は略扇型に形成されており、その外周部が円弧状の軌道を描くようにユニット１１内に回動可能に軸支されている。一方、誘導樋１０の途中には円弧状の湾曲部位１０ａが形成されており、第１回動位置に位置しているときの球抜き切替弁１８の外周部１８ａによって湾曲部位１０ａの内周側樋壁２１の一部１０ｂが構成されるようになっている。このとき遊技球３０は第１分岐誘導樋１５に誘導される。そして球抜き切替弁１８が第２回動位置に位置しているときには、内周側樋壁２１の一部１０ｂが開放されることにより、第２分岐誘導樋１７に遊技球３０が誘導され、球抜きが行われる。
すなわち第１分岐誘導樋１５への導入口２２が第２分岐誘導路１７への導入口２３よりも下流側に設けられており、球抜き切替弁１８が第１回動位置にあるときには第２分岐誘導樋１７への導入口２３が閉塞状態になり、第２回動位置にあるときには第２分岐誘導樋１７への導入口が開放状態になるように構成されている。
【００１０】
図３に誘導樋ユニット１１の全体斜視図を、図４に誘導樋ユニット１１の分解斜視図を示す。図示するように、誘導樋ユニット１１は、その内部に第１分岐誘導樋１５および第２分岐誘導路１７を含む屈曲した誘導樋１０が区画形成され、互いに接合されてユニット本体を成す樹脂製の一対のユニットハーフ２４、２５と、樹脂製の球抜き切替弁１８と、球抜き切替弁１８の重鎮球収容部１９に収容された重鎮球２０とからなる。
球抜き切替弁１８は重鎮球２０を重鎮球収容部１９に収容し、両ユニットハーフ２４、２５間に収容されている。球抜き切替弁１８の回動中心位置には両側に軸状突起２６が形成されており、軸状突起２６がユニットハーフ２４、２５に形成された軸受孔２７によって回転可能に軸支されている。
球抜き切替弁１８の回動方向一端部（右端部）には、回動レバー（取っ手）２８が手前側に突出させて設けられている。球抜き切替弁１８は、この回動レバー２８に指を掛けて左右に動かすことにより回動位置を切り替えることができる。手前側のユニットハーフ２４には、回動レバー２８の軌道に沿って円弧状のレバー移動スペース（切欠部）２９が形成されている。そしてレバー移動スペース２９の下側には、球抜き切替弁１８が第１回動位置にあるときに回動レバー２８に弾力的に圧接して、球抜き切替弁１８の第２回動位置側への安易な戻りを防止するストッパ部３１が形成されている。ストッパ部３１はユニットハーフ２４を成型する際に誘導樋１０の樋壁などと共に一体樹脂成形されたものであり、樹脂が本来的に持っている弾性により回動レバー２８に圧接している。
【００１１】
この実施の形態の構成によれば、賞球払出装置１２の上流側に配置した誘導樋ユニット１１の球抜き切替弁１８の回動位置を手動で切り替えることにより、誘導レール９からユニット内に誘導された遊技球３０を賞球払出装置１２に誘導したり、球抜通路１６に誘導したりすることができる。したがって、球抜きの際に賞球払出装置１２を作動させる必要がないため、遊技機１の電源をオフにした状態でも、球抜き切替弁１８の回動位置を球抜き側（第２回動位置）に切り替えるだけで球抜きを行うことができる。
また球抜き切替弁１８の回動位置を切り替えると、その内部に設けられた重鎮球２０が自然に移動し、その重鎮球２０の重さによって球抜き切替弁１８が切り替え位置に保持されるので、球抜き切替弁１８を球払い出し側と球球抜き側のそれぞれの切り替え位置に保持するためにスプリングなどの付勢手段を使用する必要がない。
また遊技球３０を重鎮球２０に転用したことにより部品コストを削減できる。また球抜き切替弁１８の回動角度を略９０°とすることで、球抜き切替弁１８の回動位置の切り替えによる重鎮球２０の移動を確実にし、球抜き切替弁１８を球払い出し側と球球抜き側のそれぞれの切り替え位置に確実に保持することができる。
また誘導樋ユニット１１内の誘導樋１０の途中一部１０ａが球抜き切替弁１８の外周部１８ａで構成されるようにしたことにより、誘導樋ユニット１１の構造を簡略化するとともに、ユニットハーフ２４、２５に使用する樹脂材料を節減できる。
また玉払出し側の通路である第１分岐誘導樋１５への導入口２２が球抜き側の通路である第２分岐誘導路１７への導入口２３よりも下流側に設けられており、球抜き切替弁１８が玉払出し側の回動位置である第１回動位置にあるときには球抜き側の通路である第２分岐誘導樋１７への導入口２３が閉塞状態になり、抜き側の回動位置である第２回動位置にあるときには第２分岐誘導樋１７への導入口が開放状態になるように構成したことにより、玉払出しと球抜きの切り替えを確実に排他的に実施できる。しかも第１分岐誘導樋１５への導入口２２よりも第２分岐誘導路１７への導入口２３の方が大きく形成されているため、球抜き時に遊技球を第２分岐誘導樋１７に確実且つ効率良く導入して球抜きを実施できる。
【００１２】
なお、本発明は上記実施の形態の構成に限定されるものではなく、誘導樋ユニット１１と賞球払出装置１２とを一体品として製造するなどして、誘導樋ユニット１１の機能を賞球払出装置１２に持たせるとともに、第１分岐誘導樋１５の出口を賞球払出装置１２のスプロケット３２（図１参照）に臨ませて配置し、球抜き切替弁１８を当該スプロケット１２より上方の部位に配置し、第２分岐誘導樋１７を賞球払出装置１２外に延出し球抜通路１６と接続するようにしてもよい。また図２〜４に例示した構成の誘導樋ユニット１１すなわち、本発明に係る球抜装置自体は、必ずしも賞球払出装置１２の上流側に設ける必要はなく、従来のパチンコ遊技機における球抜装置の代わりに、賞球払出装置の下流側に分岐して形成された球払出通路と球抜通路の分岐位置に設置することも可能である。
【００１３】
【発明の効果】
以上説明したように、本発明のパチンコ遊技機は、賞球払出装置の上流側に配置した誘導樋ユニットの球抜き切替弁の回動位置を手動で切り替えることにより、誘導レールからユニット内に誘導された遊技球を賞球払出装置に誘導したり、球抜通路に誘導したりすることができるので、球抜きの際に賞球払出装置を作動させる必要がなく、遊技機の電源をオフにした状態でも、球抜き切替弁の回動位置を球抜き側に切り替えるだけで球抜きを行うことができる。
また本発明の球抜装置は、球抜き切替弁の回動位置を切り替えると、その内部に設けられた重鎮球が自然に移動し、その重鎮球の重さによって球抜き切替弁が切り替え位置に保持されるので、球抜き切替弁を球払い出し側と球球抜き側のそれぞれの切り替え位置に保持するためにスプリングなどの付勢手段を使用する必要がない。
【図面の簡単な説明】
【図１】本発明に係るパチンコ遊技機の構造を例示する背面図である。
【図２】本発明に係る球抜装置（誘導樋ユニット）の動作説明図であり、（ａ）は球払出し中の状態を（ｂ）は球抜き中の状態をそれぞれ示している。
【図３】本発明に係る球抜装置の構成例を示す全体斜視図である。
【図４】図３に示す球抜装置の分解斜視図である。
【符号の説明】
１：パチンコ遊技機
２：外枠
３：遊技板
６：打球装置
７：機構板
８：賞球タンク
９：誘導レール
１０：誘導樋
１０ａ：湾曲部位
１０ｂ：一部
１１：誘導樋ユニット（球抜装置）
１２：賞球払出装置
１４：払出通路
１５：第１分岐誘導樋
１７：第２分岐誘導樋
１８：球抜き切替弁
１８ａ：外周部
１９：重鎮球収容部
２０：重鎮球
２１：内周側樋壁
２４、２５：ユニットハーフ
３０：遊技球
【図１】
0003604633.tif 000002
【図２】
0003604633.tif 000003
【図３】
0003604633.tif 000004
【図４】
0003604633.tif 000005